(57)【要約】【課題】ローシルエットでしかも一定圧の洗浄水をボウル面に供給できる水洗便器を提供する。【解決手段】貯水タンク３には止水栓１３、配管１４、ボールタップ１５を介して洗浄水が供給され、供給された洗浄水の一部は重力で第１の流路９を介してゼット穴８に至り、また洗浄水の他の一部はポンプ１１を介して一定圧で吐水口１２から吐出し、旋回流となって汚物受け面４全面に行き渡りゼット穴８からの洗浄水とともに排水路に流入する。【選択図】　　　　図１
2004116050.tif 000002
【特許請求の範囲】
【請求項１】
貯水タンクを備えるとともにボウル部に臨むリム内側面とボウル部の汚物受け面とを連続した曲面とした水洗便器において、この便器は貯水タンク内の洗浄水を第１及び第２の流路に分け、第１の流路はゼット穴または押込洗浄水吐出口に連通させ、第２の流路はリム内側面と汚物受け面との境界部近傍に設けた吐水口に連通させ、前記第１の流路には重力で洗浄水を供給し、前記第２の流路にはポンプを介して一定圧の洗浄水を供給するようにしたことを特徴とする水洗便器。
【請求項２】
請求項１に記載の水洗便器において、前記貯水タンクは上下に２分割され、下部タンクを前記第１の流路につなげ、上部タンクを前記第２の流路につなげ、下部タンクの満水時ラインをリム上面よりも低く設定したことを特徴とする水洗便器。
【発明の詳細な説明】
【０００１】
【発明の属する技術分野】
本発明は水洗便器のうち、ボウル面の洗浄をポンプからの洗浄水で行うようにした水洗便器に関する。
【０００２】
【従来の技術】
洗浄水をポンプを用いて供給するようにした水洗便器として、特開平６−２６４４８２号公報に開示されるものが知られている。
【０００３】
特開平６−２６４４８２号公報にあっては、貯水タンク内の洗浄水をリム内を通水路とするリム部分に供給する洗浄水と大便器部分（ボウル部）に供給する洗浄水に分け、制御手段によって両方の洗浄水または一方の洗浄水を一定量だけポンプで供給することで、必要最小限の洗浄水で便器洗浄と汚物除去を行えるようにしている。
【０００４】
また、従来のローシルエットの水洗便器は、洗浄水の供給方式として水道直結方式のものが多く採用されている。この水道直結式では、家屋の地理的状況によって水圧が変化するため低水圧時には水圧不足で設置不可能な場合があるし、高水圧時には、ゼット洗浄時に大流量の吐水が必要なために、バルブの開閉音が発生するという問題があった。
【０００５】
【発明が解決しようとする課題】
特開平６−２６４４８２号記載の水洗便器は、大便器部分（ボウル部）洗浄途中において大便器部分のトラップが空になった状態でもトラップへ洗浄水を供給する状態（ブロー状態）が発生し、汚物排出直後の騒音が大きくなる問題があった。
【０００６】
また、リム内を通水路とするためにこの通水路に洗浄水が流入して行く過程で通水路内の空気が圧縮されてリムに設けられた洗浄水吐水口から排出するときに圧搾音が発生したり、前記洗浄水吐出口を設けた部分が使用者からは死角となり清掃が容易に行えないという問題があった。
【０００７】
また、サイホン水洗便器においては少ない洗浄水量でサイホン作用を早期に発生させるために大瞬間流量の洗浄水を排水路に供給する必要性があり、前記特開平６−２６４４８２号のようにポンプで供給するとすればポンプ容量が大きなものとなり、コンパクトな水洗便器を構成するのは空間的に困難である。
【０００８】
そこで、本発明の目的は洗浄時に発生する音を極力低く抑え、リム部の清掃を容易に行うことができ、洗浄水を供給するためのポンプの容量が小さいポンプを採用することが可能で、コンパクト化が実現できる水洗便器を提供することである。
【０００９】
【課題を解決するための手段】
上記課題を解決すべく本発明は、貯水タンクを備えるとともにボウル部に臨むリム内側面とボウル部の汚物受け面とを連続した曲面とした水洗便器であって、この便器は貯水タンク内の洗浄水を第１及び第２の流路に分け、第１の流路はゼット穴または押込洗浄水吐出口に連通させ、第２の流路はリム内側面と汚物受け面との境界部近傍に設けた吐水口に連通させ、前記第１の流路には重力で洗浄水を供給し、前記第２の流路にはポンプを介して一定圧の洗浄水を供給するようにした。
【００１０】
かかる構成とすることで、またリム内を通水路とせず、直接ボウル内に吐水するために、先述したリム洗浄水吐水口からの空気圧搾音が発生しない。
【００１１】
さらに、タンク内の洗浄水を重力式でゼット穴へ供給することで、洗浄途中において大便器部分のトラップが空になることがないため、前記ブロー状態が発生せず、汚物排出直後の騒音を防止することができる。
【００１２】
また、水道の水圧を利用して洗浄しないために、水道からの給水は小流量で済むことになり、高圧時のバルブ給水音を最小化することができる。
【００１３】
また、リム給水のみをポンプ式とすることで、ポンプ容量を低く抑えることができることにより、ポンプを小さく且つ静音に構成できるために、よりコンパクトでローシルエットな静音の水洗便器を実現することが可能である。
【００１４】
前記貯水タンクとしては単一でもよいが、上下に２分割してもよい。上下に２分割した場合には、下部タンクを前記第１の流路につなげ、上部タンクを前記第２の流路につなげ、下部タンクの満水時ラインをリム上面よりも低く設定することで、放置時に下部タンク内の洗浄水がボウル面に溢れる現象（永久漏水）を防止できる。
また、貯水タンクを上下に２分割した場合には、上部タンクを介して下部タンクに給水する構造とするのが好ましい。
【００１５】
【発明の実施の形態】
以下に本発明の実施の形態を添付図面に基づいて説明する。図１は本発明に係る水洗便器の平面図、図２は図１のＡ−Ａ線に沿った断面図であり、水洗便器１は前方をボウル部２とし、後部に貯水タンク３を備えている。
【００１６】
ボウル部２は椀状をなす汚物受け面４と上縁部を構成するリム５を有し、汚物受け面４とリム５の内側面とは段差などのないスムーズな曲面で連続している。そして、上から見て死角になる箇所がないように、また、清掃の際には使い捨ての紙等を使用して簡単にリム内側面を拭き取ることができ、しかも洗浄水が外に飛び出すことがないように、リム５の内側面６は図２に示すように内方に向かってある程度オーバーハングした形状になっている。
【００１７】
また汚物受け面４の中央部には排水路につながる入口７が形成され、この排水路入口７にサイホン効果を高めるためのゼット穴８が開口し、このゼット穴８につながる貯水タンク３からの第１の流路９が設けられている。
【００１８】
また、貯水タンク３からは第２の流路１０を構成する配管が導出され、この第２の流路１０の途中にポンプ１１が設けられ、更に第２の流路１０の先端には前記汚物受け面４とリム５の内側面との境界部に洗浄水を吐出する吐水口１２が設けられている。
【００１９】
貯水タンク３には止水栓１３、配管１４、ボールタップ１５を介して洗浄水が供給され、供給された洗浄水の一部は重力で第１の流路９を介してゼット穴８に至り、また洗浄水の他の一部はポンプ１１を介して一定圧で吐水口１２から吐出し、旋回流となって汚物受け面４全面に行き渡りゼット穴８からの洗浄水とともに排水路に流入する。
【００２０】
図３乃至図５は別実施例に係る水洗便器を示し、図３に示す実施例は配管１４の中間に分岐バルブ１６を設け、この分岐バルブ１６から局部洗浄器への配管１７を分岐している。
【００２１】
図４に示す実施例は、第１の流路９を押込洗浄水吐出口１８に連通している・この押込洗浄水吐出口１８から排水路に洗浄水を流入せしめることで、サイホン効果を高めることができる。
【００２２】
図５に示す実施例は、第２の流路１０を構成する配管を２本設け、リムの内周面に沿った２箇所から洗浄水を吐出するようにしている。このように左右に離間した２箇所から１つの旋回流を形成する方向に洗浄水を吐出することで、洗浄効果を高めることができる。
【００２３】
図６は貯水タンクの別実施例を示す断面図であり、この実施例にあっては貯水タンク３を上部タンク３１と下部タンク３２に分割し、止水栓からの配管３３の途中にはボールタップ３４でオン・オフするバルブ３５が設けられ、このバルブ３５の部分で配管３６，３７に分岐し、配管３６は上部タンク３１の上部に接続され、配管３７は下部タンク３２に給水する。
また上部タンク３１と下部タンク３２とは配管３８にて接続され、上部タンク３１を溢れた洗浄水は下部タンク３２内に貯留される。
【００２４】
また下部タンク３２内に一定量の洗浄水が溜まるとボールタップ３４によってバルブ３５が閉じて給水が停止する。この状態での水位はリム上面よりも低くなるように設定されており、便器放置時の漏水が有効に防止される。
【００２５】
更に、上部タンク３１の底面３９は傾斜面となっており、この底面の最も低い箇所に配管４０が接続され、この配管４０の途中にポンプ４１が設けられ、ポンプ４１から一定圧の洗浄水がリム側に供給される。
【００２６】
【発明の効果】
以上に説明したように本発明に係る水洗便器は、貯水タンク内の洗浄水をポンプを介してボウル面に供給するようにしたので、ローシルエットでしかも一定圧の洗浄水をボウル面に供給できる。
【００２７】
特に、ボウル部に臨むリム内側面と汚物受け面とをスムーズに連続した形状とし、この部分に洗浄水を吐出し旋回流を形成してボウル面全面に洗浄水を行き渡らせる形状の水洗便器にあっては、洗浄水の吐出圧を水道直結型に比較して一定にすることができ、安定した旋回流を形成することができる。
【００２８】
また、貯水タンクを上下に分割し、下部タンクを重力でゼット穴または押込洗浄水吐出口に洗浄水を供給する第１の流路につなげ、上部タンクをポンプを介して一定圧の洗浄水を供給する第２の流路につなげる構成とすることで、効率よく洗浄水を各流路に送り出すことができ、特に、下部タンク内の最高水位をリム上面よりも低く設定しておくことで、放置時の漏水を防止できる。
【図面の簡単な説明】
【図１】本発明に係る水洗便器の平面図
【図２】図１のＡ−Ａ線に沿った断面図
【図３】別実施例に係る水洗便器の平面図
【図４】別実施例に係る水洗便器の平面図
【図５】別実施例に係る水洗便器の平面図
【図６】貯水タンクの別実施例を示す断面図
【符号の説明】
１…水洗便器、２…ボウル部、３…貯水タンク、４…汚物受け面、５…リム、６…リム内側面、７…排水路入口、８…ゼット穴、９…第１の流路、１０…第２の流路、１１…ポンプ、１２…吐水口、１３…止水栓、１４…配管、１５…ボールタップ、１６…分岐バルブ、１７…局部洗浄器への配管、１８…押込洗浄水吐出口、３１…上部タンク、３２…下部タンク、３３，３６，３７，３８，４０…配管、３４…ボールタップ、３５…バルブ、３９…上部タンクの底面、４１…ポンプ。
【図１】
2004116050.tif 000003
【図２】
2004116050.tif 000004
【図３】
2004116050.tif 000005
【図４】
2004116050.tif 000006
【図５】
2004116050.tif 000007
【図６】
2004116050.tif 000008